(57)【要約】      （修正有）【課題】各タイプの雨傘を収容でき、雨水が傘立て外側に落ちるのを防止できる傘立て構造を提供する。【解決手段】傘立て構造は、傘立てから構成され、傘立て１００は、底側と入口側を定義する。底側一端は傘立ての底部で、入口側一端は傘立ての上縁で、底側一端には、雨水を回収する第一集水トレイ１０３を設置する。底側と入口側の間にフック１０４を設置し、雨水を回収する第二集水トレイ１０５を設置し、第二集水トレイにより、短い傘、あるいは、折り畳み傘上の雨水を回収し、長い傘は第一集水トレイに収容して、雨水を回収する。【選択図】図２
0003208878.tif 000002
【実用新案登録請求の範囲】
【請求項１】
傘立て構造であって、傘立てから構成され、前記傘立ては、底側と入口側の筒状体を定義し、前記底側一端は前記傘立ての底部で、前記入口側一端は前記傘立ての上縁で、前記底側一端は、雨水を回収する第一集水トレイを設置し、その特徴は、前記底側と前記入口側の間にフックを設置して、雨水を回収する第二集水トレイを提供し、前記第二集水トレイにより、短い傘、あるいは、折り畳み傘上の雨水を回収し、且つ、長い傘は前記第一集水トレイに立てて、雨水を回収することができることを特徴とする傘立て構造。
【請求項２】
前記フックは、溶接により、前記傘立てに固定されることを特徴とする請求項１に記載の傘立て構造。
【請求項３】
前記第二集水トレイの形状は、前記入口側の断面の半分に対応して、異なる長さの雨傘を前記傘立てに収容することができることを特徴とする請求項１に記載の傘立て構造。
【請求項４】
前記傘立て入口側は正方形断面で、前記第二集水トレイは前記底側と前記入口側の間に設置されるとともに、前記第二集水トレイは長方形であることを特徴とする請求項１に記載の傘立て構造。
【請求項５】
前記傘立て入口側は円形断面で、前記第二集水トレイは、前記底側と前記入口側の間に設置されるとともに、前記第二集水トレイは半円形であることを特徴とする請求項１に記載の傘立て構造。
【請求項６】
前記傘立て入口側は長方形で、前記第二集水トレイは前記底部と前記入口側の間に設置されるとともに、前記第二集水トレイの形状は前記入口側の半分であることを特徴とする請求項１に記載の傘立て構造。
【請求項７】
前記傘立ての筒状体は透過型メッシュ状であることを特徴とする請求項１に記載の傘立て構造。
【考案の詳細な説明】
【技術分野】
【０００１】
本考案は、傘立て構造に関するものであって、特に、異なる長さ、異なるタイプの傘を収容できる傘立て構造に関するものである。
【背景技術】
【０００２】
従来の傘立て構造は、開口を有する桶体、あるいは、フレーム体であり、フレーム体の底部に、雨水を回収するトレイを設置し、降雨時、雨傘をフレーム体に挿して、雨傘上の雨水が地面を濡らすのを防止するものである。
【０００３】
従来の傘立ては、雨傘を収容するものであるが、以下のような欠点がある。
【０００４】
１．雨傘は、主に、非折り畳み傘と折り畳み傘に分けられるが、折り畳み傘と非折り畳み傘を同時に傘立てに挿入する時、全体がぐちゃぐちゃになり、同時に、折り畳み傘は短いので、非折り畳み傘により遮られて、探すのに時間がかかり、不便である。
【０００５】
２．トレイが傘立て底端に設置されているので、非折り畳み傘と折り畳み傘が同時にある時、雨水が、傘立て外側に零れ落ちて、地面を濡らしてしまう。
【考案の概要】
【考案が解決しようとする課題】
【０００６】
本考案は、傘立て構造を提供し、各タイプの雨傘を収容でき、雨水が傘立て外側に落ちるのを防止することを目的とする。
【課題を解決するための手段】
【０００７】
上述の目的を達成するため、本考案の傘立て構造は、傘立てから構成され、傘立ては、底側と入口側を定義する。底側一端は傘立ての底部で、入口側一端は傘立ての上縁で、底側一端は、雨水を回収する第一集水トレイを設置する。その特徴は、底側と入口側の間にフックを設置して、雨水を回収する第二集水トレイを提供し、第二集水トレイにより、短い傘や折り畳み傘上の雨水を回収することができ、且つ、長い傘は、第一集水トレイに挿して、雨水を回収することができる。
【考案の効果】
【０００８】
上述の構造により，本考案は以下のような長所を提供することができる。
【０００９】
１．本考案の第一集水トレイは、非折り畳み傘や長雨傘上の雨水を回収することができ、且つ、第二集水トレイにより、折り畳み傘や短雨傘上の雨水を回収して、雨傘上の雨水が傘立て外にこぼれない。
【００１０】
２．本考案は、第一集水トレイと第二集水トレイの設置により、傘立て内に収容される雨傘が整頓される。
【図面の簡単な説明】
【００１１】
【図１】本考案の第一実施例による構造立体図である。
【図２】本考案の第一実施例による構造分解図である。
【図３】本考案の第一実施例による使用状態図である。
【図４】本考案の第二実施例による構造立体図である。
【図５】本考案の第二実施例による構造分解図である。
【図６】本考案の第二実施例による使用状態図である。
【図７】本考案の第三実施例による構造立体図である。
【図８】本考案の第三実施例による構造分解図である。
【図９】本考案の第三実施例による使用状態図である。
【考案を実施するための形態】
【００１２】
図１から図３に示されるように、本考案による傘立て構造は、傘立て１００から構成され、傘立て１００は、底側１０１と入口側１０２を定義し、底側１０１一端は傘立て１００の底部で、入口側１０２一端は傘立て１００の上縁である。底側１０１一端は、雨水を回収する第一集水トレイ１０３を設置する。その特徴は、底側１０１と入口側１０２の間に、フック１０４を設置して、雨水を回収する第二集水トレイ１０５を提供する。第二集水トレイ１０５により、短い傘、あるいは、折り畳み傘上の雨水を回収し、且つ、長い傘は第一集水トレイ１０３に立てて、雨水を回収する。
【００１３】
上述の構造により、本考案は以下のような長所を提供することができる。
【００１４】
１．図１から図３に示されるように、本考案による傘立て構造の傘立て１００の入口側１０２は正方形断面である。第一集水トレイ１０３を傘立て１００底側１０１一側に設置し、底側１０１と入口側１０２の間に、フック１０４を設置し、フック１０４は、溶接により、あるいは、結合栓とナット等の結合方式で、傘立て１００上に結合される。次に、第二集水トレイ１０５をフック１０４上に装着する。第二集水トレイ１０５の形状は、正方形の入口側１０２の断面の半分の長方形であり、長い傘も、短い傘も、傘立て内に収めることができ、第一、第二集水トレイ１０３、１０５により雨傘上の雨水を回収して、地面が濡れるのを防止する。
【００１５】
２．図３に示されるように、本考案は、異なる長さの雨傘を分けて収容できるので、傘立て１００上の雨傘がすっきりと収められる。
【００１６】
３．図４から図６に示されるように、本考案の第二実施例によると、入口側２０２の断面が長方形の傘立て２００は、同様に、底側２０１一側に、第一集水トレイ２０３を設置し、同様に、傘立て２００の中段に、フック２０４と第二集水トレイ２０５を設置しているが、その特徴は、第二集水トレイ２０５の形状は、入口側２０２の断面の半分の形状であり、異なる長さの雨傘を挿入することができるとともに、第一、第二集水トレイ２０３、２０５により雨傘上の雨水を回収する。
【００１７】
４．図７から図９に示されるように、本考案の第三実施例によると、入口側３０２の断面が円形の傘立て３００は、同様に、底側３０１一側に、第一集水トレイ３０３を設置し、同様に、傘立て３００の中段に、フック３０４と第二集水３０５を設置しているが、その特徴は、第二集水３０５の形状は、入口側３０２断面の半分の形状であり、異なる長さの雨傘を挿入することができるとともに、第一、第二集水トレイ３０３、３０５により雨傘上の雨水を回収する。
【００１８】
５．図１から図９に示されるように、本考案の傘立て１００、２００、３００の筒状体は、透過型のメッシュ面１０６、２０６、３０６で、雨傘は、傘立て１００、２００、３００内で通気性があるので、傘が速く乾くという長所がある。
【００１９】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【００２０】
１００…傘立て
１０１…底側
１０２…入口側
１０３…第一集水トレイ
１０４…フック
１０５…第二集水トレイ
１０６…メッシュ面
２００…傘立て
２０１…底側
２０２…入口側
２０３…第一集水トレイ
２０４…フック
２０５…第二集水トレイ
２０６…メッシュ面
３００…傘立て
３０１…底側
３０２…入口側
３０３…第一集水トレイ
３０４…フック
３０５…第二集水トレイ
３０６…メッシュ面
【図１】
0003208878.tif 000003
【図２】
0003208878.tif 000004
【図３】
0003208878.tif 000005
【図４】
0003208878.tif 000006
【図５】
0003208878.tif 000007
【図６】
0003208878.tif 000008
【図７】
0003208878.tif 000009
【図８】
0003208878.tif 000010
【図９】
0003208878.tif 000011